(57)【要約】【課題】  取り付け時や使用中に従来のベルト（ワイヤー）のような調整作業が不要で、保守点検、部品の交換も容易で、耐久性に優れ、更には左右の引戸が対称でない場合にも適用可能にする。【解決手段】  左右に配置した引戸１，２がそれらの頂部に設けられた車輪を有する走行装置１１，１２により天井や上枠３に沿って配置されたガイドレール４に懸吊されて左右に引き分け開閉可能に配置されるとともに、前記左右の引戸１，２の上部に長さ方向に所定間隔で係止部７１，８１を形成した板状のスライダー７，８が互いに幅方向に対向して立設されているとともに前記両スライダー７，８に所定間隔で形成された係止部７１，８１にそれぞれ噛合する係止突起９１を周端に形成したスプロケット９を前記天井や上枠３に軸着させた。【選択図】        図２
2006077527.tif 000002
【特許請求の範囲】
【請求項１】
左右に配置した引戸がそれらの頂部に設けられた車輪を有する走行装置により天井や上枠に沿って配置されたガイドレールに懸吊されて左右に引き分け開閉可能に配置され、前記左右の引戸の上部に長さ方向に所定間隔で係止部を形成した板状のスライダーが互いに幅方向に対向して立設されているとともに前記両スライダーに所定間隔で形成された係止部にそれぞれ噛合する係止突起を周端に形成したスプロケットを前記天井や上枠に軸着させたことを特徴とする引分け連動戸。
【請求項２】
前記左右の引戸に立設されているスライダーにおける係止部の形成間隔を互いに変えてそれぞれに噛合する噛合部を形成したスプロケットを互いに連動可能に前記天井や上枠に軸着させた請求項１記載の引分け連動戸。
【請求項３】
前記前記スブロケットに減速機構を組み合わせた請求項１または２に記載の引分け連動戸。
【発明の詳細な説明】
【技術分野】
【０００１】
本発明は、引分け連動戸に関するものである。
【背景技術】
【０００２】
従来、左右に配置した引戸を突き合わせて開口部を開閉するとともに一方の引戸の操作でもう一方の引戸が連動する引分け連動戸が知られている。
【０００３】
従来、引分け連動戸として特開２００３−１７２０７２号公報（特許文献１）、登録実用新案第２５３８５８４号公報（特許文献２）などに提示されている。      
【０００４】
これらの引分け連動戸は図８に示したように、各引戸１，２がそれらの頂部に設けられた車輪を有する走行装置１１，１１および２１，２１により天井や上枠３に沿って配置されたガイドレール４に懸吊されて左右に引き分け開閉可能に配置されるとともに、前記左右の引戸１，２の上部に引戸１，２の外側端にそれぞれ配置した従動ホィール５１，５２間に引戸１，２に沿って無端状に掛け渡したベルト（ワイヤー）５に前記引戸１，２を走行装置１１，１１および２１，２１に連結部材６を介して連結したものである。
【０００５】
従って、常に正常な引き分け状態を維持するためには無端状に掛け渡したベルト（ワイヤー）５を適正な緊張状態に保つ必要があり、従動ホィールや連結部材６を調整可能にする必要があり、機構が複雑で部品も効果になるばかりか定期的にベルト（ワイヤー）５の張り具合を調整するための保守点検を行う必要もある。
【０００６】
特に、例えば住宅用の雨戸のように戸袋状の収まりを有する場合には取り付け後の調整や故障時の部品交換などができないので、戸袋の部分を剥がす必要があったり或いは予め保守点検や補修用の空所が露出可能な機構を設ける必要がある。
【０００７】
加えて、前記従来の引分け連動戸は無端状に掛け渡したベルト（ワイヤー）５が露出したままなので見栄えが悪く、別に幕板などをもうける必要もある。          
【０００８】
また、前記従来の引き分け連動戸は、図８に示すように、引戸１，２の外側端にそれぞれ配置した従動ホィール間に引戸１，２に沿って無端状に掛け渡したベルト（ワイヤー）５に前記引戸１，２を走行装置１１，１１および１２，１２に連結部材６を介して連結したものであることから、左右の引戸１，２がベルト（ワイヤー）５の移動量に応じて同じだけ移動するので、左右の引戸１，２が対称である場合に限って採用できるものである。
【特許文献１】特開２００３−２１４０１２号公報
【特許文献２】登録実用新案第２５３８５８４号公報
【発明の開示】
【発明が解決しようとする課題】
【０００９】
本発明が解決しようとする課題は、従来のベルト（ワイヤー）の調整作業が不要で、保守点検、部品の交換も容易で、耐久性に優れ、更には左右の引戸が対称でない場合にも適用が可能な引き分け連動戸を提供するものである。
【課題を解決するための手段】
【００１０】
前記課題を解決するため、本発明である引き分け連動戸は、 左右に配置した引戸がそれらの頂部に設けられた車輪を有する走行装置により天井や上枠に沿って配置されたガイドレールに懸吊されて左右に引き分け開閉可能に配置され、前記左右の引戸の上部に長さ方向に所定間隔で係止部を形成した板状のスライダーが互いに幅方向に対向して立設されているとともに前記両スライダーに所定間隔で形成された係止部にそれぞれ噛合する係止突起を周端に形成したスプロケットを前記天井や上枠に軸着させたことを特徴とする。
【００１１】
また、前記左右の引戸に立設されているスライダーにおける係止部の形成間隔を互いに変えてそれぞれに噛合する噛合部を形成したスプロケットを互いに連動可能に前記天井や上枠に軸着させた場合には、左右で開閉幅の異なる引戸についても実施することができる。
【００１２】
更に、前記スブロケットに減速機構を組み合わせることともできる。
【発明の効果】
【００１３】
本発明によれば、取り付け時や使用中に従来のベルト（ワイヤー）のような調整作業が不要で、保守点検、部品の交換も容易で、耐久性に優れ、更には左右の引戸が対称でない場合にも適用が可能である。また、外観的な見栄えもよく、特に幕板などを設置する必要もない。
【発明を実施するための最良の形態】
【００１４】
次に、本発明を実施するための最良の形態について説明する。
【００１５】
図１乃至図５は本発明の好ましい実施の形態を示すものであり、本発明である引き分け連動戸は、 天井や上枠３に沿って止めねじにより配置されたガイドレール４の幅方向の両下端に内側に対向して延出させた走行片４３，４３に長さ方向に走行可能に載置した走行車輪１２，２２に吊設された左右および前後の立て付け調節部材１３，２３に引戸１，２が連動して引き分け開閉可能に吊設されている。
【００１６】
特に、本実施の形態では前記ガイドレール４は左右に分割されたレール本体４１,４２から構成され、これらのレール本体４１,４２が中央部において所定長さの空所４４を形成してその長さ方向の両側に配置されているとともに、前記ガイドレール４の両側壁に形成されたスライド溝４５，４５には長さ方向に所定間隔で空隙からなる係止部７１，８１を形成した板状のスライダー７，８が長さ方向にスライド可能に嵌挿支持されて互いにガイドレール４の幅方向に対向して立設されているとともに、これらのスライダー７，８はそれらの先端において固着された連結部材６，６により走行装置１１，２１に連結されている。
【００１７】
更に、前記ガイドレール４の中央部に形成された空所４４には、前記両スライダー７，８に所定間隔で形成された係止部７１，７２にそれぞれ噛合する係止突起９１を周端に形成したスプロケット９が前記天井や上枠３に軸９２により軸着されている。
【００１８】
以上の構成を有する本実施の形態は、一方の引戸１（２）を開閉すると引戸１（２）が走行して走行装置１１（２１）に連結されているスライダー７，８が長さ方向にスライドし、スライダー７，８に所定間隔で形成された係止部７１，７２にそれぞれ噛合する係止突起９１を周端に形成したスプロケット９が軸９２を中心に回動するので引戸１および２を突き合わせて開口部を開閉するとともに一方の引戸の操作でもう一方の引戸が連動する。
【００１９】
本実施の形態によれば、従来のベルト（ワイヤー）式のようにベルトの調整作業が不要で、保守点検、部品の交換も容易で、耐久性に優れ、主たる機構が中央のスプロケット９部分であり、調整や保守点検、部品の交換のような作業もきわめて容易に行うことができる。
【００２０】
図６は本発明の異なる実施の形態を示すものであり、前記実施の形態と異なり、スプロケット９が互いに噛合する歯数の異なる２枚のスプロケット９Ａ，９Ｂにより構成される。
【００２１】
このように構成される本実施の形態によれば、互いに噛合する歯数の異なる３枚のスプロケット９Ａ，９Ｂ，9Ｃを用いることにより、これらのスプロケット９Ａ，9Ｃに噛合する左右の引戸に立設されているスライダー７，８における係止部７１，８１の形成間隔を互いに変えて、互いに連動する引戸の移動量を変化させることができるので、幅の異なる引戸について実施することができる。
【００２２】
また、図７は前記図６に示した場合と同じ幅の異なる引戸について実施した場合の異なる実施の形態を示すものであり、本実施の形態では歯数の異なるスプロケット９Ａ，９Ｂ，９Ｃを同一径として同軸９２に歯数の異なる２枚のプロケット９Ａ，９Ｂ設けたものであり、この場合には前記図６に示した実施の形態のように複数の軸を設けたりする必要がなく、少ないスプロケットで構成できるので簡単である。
【００２３】
更に、本発明はスブロケット９に簡易的な減速機構を組み合わせることも簡単にでき（図示せず）、自動化も可能である。
【００２４】
尚、前記実施の形態では突起９１を突設させたスブロケット９と、前記を突起９１の係合部を設けたスライダー７，８を用いたが、例えばピニオンとラックにより形成するなど（図示せず）他の同様な機構に替えても実施することができる。
【図面の簡単な説明】
【００２５】
【図１】本発明の好ましい実施の形態を示す一部を分解した斜視図。
【図２】図１の拡大平面部分図。
【図３】図１の拡大正面部分図。
【図４】図１の拡大側面部分図。
【図５】図１に示した実施の形態の概略を示す説明図。
【図６】異なる実施の形態を示す拡大平面部分図。
【図７】更に異なる実施の形態を示す概略図。
【図８】従来例を示す説明図。
【符号の説明】
【００２６】
１  引戸、  ２  引戸、  ３  天井や上枠、  ４  ガイドレール、  ７  スライダー、  ８  スライダー、  ９  スプロケット、  ７１  係止部、  ８１  係止部、  ９１  係止突起
【図１】
2006077527.tif 000003
【図２】
2006077527.tif 000004
【図３】
2006077527.tif 000005
【図４】
2006077527.tif 000006
【図５】
2006077527.tif 000007
【図６】
2006077527.tif 000008
【図７】
2006077527.tif 000009
【図８】
2006077527.tif 000010